(57)【要約】      （修正有）【課題】コピー機やプリンター機はトナーの定着のため熱のかかったローラーで圧着されたり、急激に折り曲げられる工程がある。その際、しわが発生せず綺麗な印刷ができる角型封筒を提供する。【解決手段】角型封筒の折り込まれる折り罫４に切り罫２を入れることにより、圧着時の空気の逃げ場を作り、封筒表面１−ａと裏面１−ｂとの歪みを逃がす事により、しわが発生すること無く印刷可能な角型封筒を提供する。【選択図】  図１
2005022754.tif 000002
【特許請求の範囲】
【請求項１】
１枚の紙を折り曲げ貼り合わせることにより形成される長方形の封筒において、周縁部の折り曲げ閉じられた辺に切り罫が入れられて成ることを特徴とする角型封筒。
【請求項２】
上記長方形の封筒において、切り罫が周縁部の折り曲げ閉じられた３辺にそれぞれ切り罫が入れられて成ることを特徴とする請求項１の角型封筒。
【請求項３】
上記長方形の封筒において、切り罫が封筒の角に入れられて成ることを特徴とする角型封筒。
【請求項４】
上記長方形の封筒において、切り罫が表面もしくは裏面に入れられて成ることを特徴とする角型封筒。
【発明の詳細な説明】
【発明の詳細な説明】
【技術分野】
【０００１】  本発明は、モノクロコピー機、カラーコピー機、モノクロプリンター機、カラープリンター機で印刷される、角型封筒に関するものである。
【背景技術】
【０００２】  コピー機やプリンター機は、容易に原稿から直接何枚も同じ印刷ができたり、パソコンの画像を直接印刷でき、その手軽さと小ロット対応のため、普及が進んでいる。特に近年、フルカラーでの印刷が可能となり、従来の版を作製して紙に印刷する分野に替わって、オンデマンド印刷として利用分野が広がっている。【０００３】  特に封筒への印刷は、共通したデザインの印刷とともに、各相手先の宛名を印刷する必要があり、パソコンのデータを直接利用して印刷できれば効率がアップし、きれいなカラー表現ができればデザイン的にも魅力あるものとなる。【０００４】  しかしながら、通常の市販封筒をコピー機やプリンター機に通すと、しわが発生しきれいな印刷ができない場合が多い。コピー機やプリンター機は、トナーを紙に定着させる際に、高温のローラーで圧をかける工程が必要である。その時の熱で空気が膨張したり、紙が伸縮して歪みが生じる。その歪みの逃げ場が無くなり、圧がかかった時にしわが発生する。また、機種によれば、搬送段階で急激に折り曲げられる場合があり、空気の逃げ場が無くなり、しわが発生することがある。
【発明が解決しようとする課題】
【０００５】  このようにコピー機やプリンター機での封筒の印刷は需要が多いにもかかわらず、しわの発生により普及できなかった。
【０００６】  そこで本発明者は鋭意に研究を重ね、封筒の辺の一部に切り罫を入れ、膨張した空気や紙の伸縮の逃げ場があれば、しわが発生することなく印刷が可能であることを見出し、本発明に至った。
【０００７】  本発明の目的は、コピー機やプリンター機を用いて、しわが入らずに印刷可能な封筒を提供する事である。
【課題を解決するための手段】
【０００８】  本発明の請求項１に係る角型封筒は、折り込まれる折り罫４に切り罫２が入れられており、貼り合わせ部３で貼り合わされ、周縁部の折り曲げ閉じられた辺に切り罫が入れられて成ることを特徴とするものである。
【０００９】  また請求項２の発明は、請求項１において、周縁部の折り曲げ閉じられた３辺にそれぞれ切り罫２が入れられて成ることを特徴とするものである。
【００１０】  また請求項３の発明は、周縁部の角に切り罫３を入れられて成ることを特徴とするものである。
【００１１】  また請求項４の発明は、表面または裏面に切り罫３を入れられて成ることを特徴とするものである。
【発明を実施するための最良の形態】
【００１２】  以下に、本発明の実施の形態を説明する。【００１３】  図１は本発明の実施の形態の一例を示すものであり、Ａは展開図、Ｂは製袋図である。折り罫４に切り罫２が入れられている。展開図Ａの各折罫４にしたがって折り曲げられ、重ねしろ部３が糊や両面テープで裏面１−ａと貼り合わされ、製袋図Ｂのよう角型封筒が形成される。【００１４】  この切り罫は図２で示した様に底部１箇所であってもよいし、側面部の２ヶ所にあってもよい。望ましくは、底部並びに側面部の３辺に付けられるほうがよい。また、長さや位置、数も封筒の大きさ、コピー機やプリンター機の機種により種々のパターンで形成される。【００１５】  角型封筒の重ねしろ部は、図３に示した様に重ねしろが長方形の片端または両端にある場合でもよく、中央に有ってもよく、対角線状に有ってもよい。【００１６】  辺に切り罫が入れられている角型封筒は、図４の２００℃程度の定着ローラー５で強く圧着される。その時、切り罫による空気の逃げ場が有るため、空気だまりが発生してしわが寄ることは無く、また、紙の歪みも切り罫が有るため緩和される。【００１７】  また、搬送ローラー６で大きく曲げられても、空気の抜けも容易であり、紙の表面と裏面との歪みも切り罫で緩和される。その結果、しわが発生すること無くきれいに封筒に印刷される。
【実施例】
【００１８】  以下に、実施例によって本発明を説明する。角型封筒は図１のように、製袋した。封筒は角２、角３、長３のものを作製した。更に、切り罫は下辺部のみの場合と、３辺とも入れた場合を作製した。比較例として、切り罫を入れないものも作製した。【００１９】  その封筒をカラープリンター機で印刷を行ない、しわの発生を確認した。
2005022754.tif 000003
【発明の効果】
【００１９】  上記の様に、本発明の請求項１の角型封筒は、熱と圧とがかかるローラーでトナーを定着させたり、ローラーで圧がかかりながら急激に折り曲げられ搬送される機構を有するコピー機やプリンター機でも、しわが発生することなく綺麗に印刷が可能と成る。
【００２０】  請求項２の様に３辺に切り罫が入れられておれば、より安定的にしわの発生が無く綺麗に印刷が可能と成る。また請求項３の角型封筒のように、角に切り罫があったり、請求項４の角型封筒ように表面や裏面に切り罫があっても、しわが発生することなく印刷すことが可能と成る。
【図面の簡単な説明】
【図１】  本発明の実施形態の一例を示すものであり、Ａは展開図、Ｂは製袋図である。
【図２】  本発明の実施形態の切り罫を入れる例を示すものであり、製袋図である。
【図３】  本発明の実施形態の重ね合わせ例を示すものであり、展開図並びに製袋図である。
【図４】  コピー機の構造を示したものであり、断面図である。
【符号の説明】
１−ａ  封筒表面
１−ｂ  封筒裏面
２      切り罫
３      重ねしろ部
４      折り罫
５      定着ローラー
６      搬送ローラー
７      角型封筒
【図１】
2005022754.tif 000004
【図２−ａ】
2005022754.tif 000005
【図２−ｂ】
2005022754.tif 000006
【図２−ｃ】
2005022754.tif 000007
【図２−ｄ】
2005022754.tif 000008
【図２−ｅ】
2005022754.tif 000009
【図２−ｆ】
2005022754.tif 000010
【図２−ｇ】
2005022754.tif 000011
【図３】
2005022754.tif 000012
【図４】
2005022754.tif 000013